(57)【要約】【課題】  バッグが雨などで濡れるのを防ぐためと、装いを一瞬にして替えたいときのためのバッグカバーを提供する。  【解決手段】本体は略円形の対面する周縁の一部を外側に広げた形をしたシートからなり、その外側に広がった部分を除く本体周縁付近に、本体とは別のシートを用いて複数の紐通し部を設け、その紐通し部には１又は複数の貫通孔を設け、その貫通孔から紐通し部に通した紐は、紐通し部の奥端部で本体に固定し、本体の外側に広がった部分の表面と裏面が合わさるように開閉可能な留め具を設たことを特徴とするバッグカバー。【選択図】  図１
2016147054.tif 000002
【特許請求の範囲】
【請求項１】
本体は略円形の対面する周縁の一部を外側に広げた形をしたシートからなり、その外側に広げた部分を除く本体周縁付近に、本体とは別のシートを用いて複数の紐通し部を設け、その紐通し部には１又は複数の貫通孔を設け、その貫通孔から紐通し部に通した紐は、紐通し部の奥端部で本体に固定し、本体の外側に広がった部分の表面と裏面が合わさるように開閉可能な留め具を設けたことを特徴とするバッグカバー。
【発明の詳細な説明】
【技術分野】
【０００１】
本発明は、バッグが雨などで濡れるのを防ぐためとか、装いを一瞬にして替えたいときのためのバッグカバーに関するものである。
【背景技術】
【０００２】
従来、バッグが雨などで濡れるのを防ぐためには、特許文献１のように、防水性素材を使用した、開口部には重りの付いたフタを設けた袋状のバッグカバーがあった。また、そのバッグカバーに取っ手を設けて、買い物バッグとしても使用できるものがあった。
他には、本発明と形が似ている、特許文献２のようなものがあり、装いを一瞬にして替えるようなバッグカバーは見当たらなかった。
【先行技術文献】
【特許文献】
【０００３】
【特許文献１】登録実用新案第３１８２４３０号公報
【特許文献２】特開２０１１−１４７６３４号公報
【発明の概要】
【発明が解決しようとする課題】
【０００４】
これは、次のような欠点があった。
（イ）バッグには大小さまざまなサイズがあるので、特許文献１のような底のある袋状のバッグカバーの場合、そのバッグカバーの底の大きさと、中に入れるバッグの底の大きさとが合わないと、バッグカバーの表面にたるみや突っ張りが生じ、見映えが悪くなり、その日のファッションが台無しになってしまう。
（ロ）バッグが雨に濡れないようにするためには、バッグカバーの開口部をしっかり閉じなければならないが、特許文献１の場合、袋体開口部の周縁の全てに紐通しが設けられているので、紐をしっかりと絞ると、バッグの中身を取り出すときには、いちいち紐をゆるめなければならないし、紐をゆるめた状態でバッグの中身の出し入れを行えば、場合によってはバッグカバーがバッグからはずれてしまう。
（ハ）特許文献１には、重りの付いたフタが設けられているが、重りが軽ければ、風でフタが開いてしまい、バッグの中に雨が入ってしまう。また、重い重りを使えば、カバーが重くなり、使いにくい。
（ニ）本来、雨よけのバッグカバーは、バッグが雨に濡れるのを防ぐために使用するものなので、それ自体は通常軽くて薄い素材を使用する。それゆえ、そのような素材でできたバッグカバーに、取っ手を付けて買い物バッグとして使用すれば、バッグカバーの中に入れた物の重みで、バッグカバー本体と取ってとの結合部分が破損しやすく、買い物バッグとしての耐久性に欠け、結果的にはバッグカバーとしての耐久性にも欠ける。
（ホ）特許文献２は、開閉口の内側に設けられたマグネットを合わせて開閉口を閉じるので、その合わせた隙間から雨が入り込みやすい。
（ヘ）特許文献２は、円形シートの外縁に沿って多数の紐通し穴が設けられているので、これを雨よけのバッグカバーとして使用した場合、その紐通し穴から雨が入り込んで、中のバッグが濡れてしまう。
（ト）装いを一瞬に変えられるようなおしゃれなバッグカバーはなかった。
本発明は、以上のような欠点をなくすためになされたものである。
【課題を解決するための手段】
【０００５】
本体は略円形の対面する周縁の一部を外側に広げた形をしたシートからなり、その外側に広げた部分を除く本体周縁付近に、本体とは別のシートを用いて複数の紐通し部を設け、その紐通し部には１又は複数の貫通孔を設け、その貫通孔から紐通し部に通した紐は、紐通し部の奥端部で本体に固定し、本体の外側に広がった部分の表面と裏面が合わさるように開閉可能な留め具を設けたことを特徴とするバッグカバー。
【発明の効果】
【０００６】
（イ）平面的なシート状の素材を、バッグの形に合わせて立体的なバッグカバーにするので、許容範囲内ならバッグのサイズを気にすることなく、バッグにフィットする。
（ロ）略円形の一部を外側に広げた部分は、バッグカバーの蓋であるが、その蓋部分には紐通し部がないので、バッグが雨に濡れないようにバッグカバーの紐をしっかり絞っても、蓋が縮まらないので、いちいち紐をゆるめなくてもバッグの中身の出し入れは容易にでき、バッグカバーがバッグからはずれることもない。絞った紐をバッグの持ち手に縛れば、バッグカバーはバッグから完全にはずれない。
（ハ）蓋は開閉可能な留め具で閉じるので、風が吹いても開かず、バッグの中は雨に濡れない。
（ニ）バッグカバーには持ち手を設けないので、どんなにバッグ自体が重くても、それによりバッグカバーが破損することはない。
（ホ）バッグカバーの蓋の表面と裏面を合わせ閉じるので、そこに雨がかかってもバッグカバーの中は雨で濡れないし、バッグカバーの本体と蓋が一体となっていることで、継ぎ目から雨が染みるようなこともない。
（へ）本発明は、シートで形成された紐通し部に通した紐を絞ることによってバッグカバーが形成されるので、紐通し部から雨が入り込むようなことはない。
（ト）紐は、貫通孔を通せば表側と裏側のどちら側からでも絞れるので、バッグカバーをリバーシブルに使用することができ、その日の気分によって、あるいはアフター５など装いを替えたい時などにも利用できる。例えば、突然、仕事帰りにお通夜に参列しなければならなくなったとき、カラフルなバッグを持っていても、黒のバッグカバーで覆ってしまえば、違和感なくお通夜に参列することができる。
【図面の簡単な説明】
【０００７】
【図１】本発明の平面図      （ａ）表面図      （ｂ）裏面図      （ｃ）紐通し部に通した紐の状態を示した平面図
【図２】本発明の平面図      （ａ）表面図      （ｂ）裏面図      （ｃ）紐通し部に通した紐の状態を示した平面図
【図３】本発明の平面図      （ａ）表面図      （ｂ）裏面図      （ｃ）紐通し部に通した紐の状態を示した平面図
【図４】本発明の平面図      （ａ）表面図      （ｂ）裏面図      （ｃ）紐通し部に通した紐の状態を示した平面図
【図５】本発明の実施例を示した説明図である      （ａ）本体の中央にバッグをのせた状態      （ｂ）蓋を閉じた状態      （ｃ）紐を引いた状態      （ｄ）完成状態
【図６】本発明の実施例を示した説明図である      （ａ）本体の中央にバッグをのせた状態      （ｂ）蓋を閉じた状態      （ｃ）紐を引いた状態      （ｄ）完成状態
【図７】本発明の実施例を示した説明図である      （ａ）本体の中央にバッグをのせた状態      （ｂ）蓋を閉じた状態      （ｃ）紐を引いた状態      （ｄ）完成状態
【図８】本発明の実施例を示した説明図である      （ａ）本体の中央にバッグをのせた状態      （ｂ）蓋を閉じた状態      （ｃ）紐を引いた状態      （ｄ）完成状態
【発明を実施するための形態】
【０００８】
以下、本発明を実施するための形態について説明する。
本体１は略円形の対面する周縁の一部を外側に広げた形をしたシートからなり、バッグカバーの蓋２の役目をする本体１の外側に広がった部分を除く周縁付近に、本体１と同形のシートを重ねて紐通し部３、４を設ける。その紐通し部３に貫通孔３Ａ、３Ｂを設け、貫通孔３Ａから紐通し部３に２本の紐５を通し、紐５の先端を紐通し部３の奥端部でそれぞれ本体１に固定する。同様に、紐通し部４に貫通孔４Ａ、４Ｂを設け、貫通孔４Ａから紐通し部４に２本の紐５を通し、紐５の先端を紐通し部４の奥端部でそれぞれ本体１に固定する。次に、蓋２に、蓋の表面２Ａと蓋の裏面２Ｂが合わさるように開閉可能な留め具６を設ける。本体１には、使用目的により防水加工を施したシートを用い、貫通孔３Ａ及び、４Ａから出た２本の紐５には、それぞれコードストッパーを取り付けてもよい。（図１）
【０００９】
上記の本体１の紐通し部３に、貫通孔７Ａと８Ａ、７Ｂと８Ｂを並べて設け、紐５を貫通孔７Ａから貫通孔８Ａの方向に向かって通し、紐通し部３の奥端部で本体１に固定する。次に、紐５を貫通孔８Ａから貫通孔７Ａの方向に向かって通し、紐５の先端を紐通し部３の奥端部で本体１に固定する。同様に、紐通し部４に貫通孔９Ａと１０Ａ、９Ｂと１０Ｂを並べて設け、紐５を貫通孔９Ａから貫通孔１０Ａの方向に向かって紐通し部４に通し、紐５の先端を紐通し部４の奥端部で本体１に固定する。次に、紐５を、貫通孔１０Ａから貫通孔９Ａの方向に向かって紐通し部４に通し、紐５の先端を紐通し部４の奥端部で本体１に固定する。蓋２に、蓋の表面２Ａと蓋の裏面２Ｂが合わさるように、開閉可能な留め具６を設ける。（図２）
【００１０】
上記の本体１の紐通し部３、４の両端に、貫通孔１１Ａ、１１Ｂ、１２Ａ、１２Ｂ、１３Ａ、１３Ｂ、１４Ａ、１４Ｂを設ける。紐１５を、貫通孔１１Ｂから紐通し部３に通し、貫通孔１２Ｂから取り出した後、紐１５を紐通し部３の中央付近で本体１に固定する。同様に、紐１５を、貫通孔１３Ｂから紐通し部４に通し、貫通孔１４Ｂから取り出した後、紐１５を紐通し部４の中央付近で本体１に固定する。蓋２には、蓋の表面２Ａと蓋の裏面２Ｂが合わさるように、開閉可能な留め具６を設ける。（図３）
本発明は以上のような構造である。
【００１１】
上記の本体１に、蓋２の部分を除く本体１の周縁付近に、帯状のシートを用いて紐通し部１６、１７を設ける。その紐通し部１６に貫通孔１６Ａ、１６Ｂを設け、貫通孔１６Ａから紐通し部１６に２本の紐５を通し、紐５の先端を紐通し部１６の奥端部でそれぞれ本体１に固定する。同様に、紐通し部１７に貫通孔１７Ａ、１７Ｂを設け、貫通孔１７Ａから紐通し部１７に２本の紐５を通し、紐５の先端を紐通し部１７の奥端部でそれぞれ本体１に固定する。次に、蓋２に、蓋の表面２Ａと蓋の裏面２Ｃが合わさるように開閉可能な留め具６を設ける。（図４）
本発明は以上のような構造である。
本発明の使い方を説明する。
【００１２】
本体１の裏面の中央にバッグを置き、蓋２を留め具６で閉じる。貫通孔３Ａを押さえながら２本の紐５を引いて本体１の周縁を縮め、２本の紐５を結ぶ。同様に、貫通孔４Ａを押さえながら２本の紐５を引いて本体１の周縁を縮め、２本の紐５を結ぶ。紐５は貫通孔３Ｂ、４Ｂから出しても同様に使用できる。リバーシブルにも使用できる。（図５）
【００１３】
本体１の裏面の中央にバッグを置き、蓋２を留め具６で閉じる。貫通孔７Ａから出た紐５と貫通孔８Ａから出た紐５を同時に外側に引いて本体１の周縁を縮め、２本の紐５を結ぶ。同様に、貫通孔９Ａと貫通孔１０Ａから出た紐５を同時に外側に引いて本体１の周縁を縮め、２本の紐５を結ぶ。紐５は、貫通孔７Ｂ、８Ｂ、９Ｂ、１０Ｂから出しても同様に使用できる。リバーシブルにも使用できる。（図６）
【００１４】
本体１の裏面の中央にバッグを置き、蓋２を留め具６で閉じる。貫通孔１１Ｂと貫通孔１２Ｂを合わせて押さえながら２本の紐１５を引いて本体１の周縁を縮め、２本の紐１５を結ぶ。同様に、貫通孔１３Ｂと貫通孔１４Ｂを合わせて押さえながら２本の紐１５を引いて本体１の周縁を縮め、２本の紐１５を結ぶ。このとき、紐１５はバッグの持ち手に結んでもよい。紐１５を貫通孔１１Ａ、１２Ａ、１３Ａ、１４Ａから出してリバーシブルに使用することもできる。（図７）
【００１５】
本体１の裏面の中央にバッグを置き、蓋２を留め具６で閉じる。貫通孔１６Ａを押さえながら２本の紐５を引いて本体１の周縁を縮め、紐５を結ぶ。同様に、貫通孔１７Ａを押さえながら２本の紐５を引いて本体１の周縁を縮め、紐５を結ぶ。紐５は貫通孔１６Ｂ、１７Ｂから出しても同様に使用できる。リバーシブルにも使用できる。（図８）
【符号の説明】
【００１６】
１    本体
２    蓋
２Ａ  蓋の表面
２Ｂ  蓋の裏面
２Ｃ  蓋の裏面
３    紐通し部
３Ａ  貫通孔
３Ｂ  貫通孔
４    紐通し部
４Ａ  貫通孔
４Ｂ  貫通孔
５    紐
６    留め具
７Ａ  貫通孔
７Ｂ  貫通孔    
８Ａ  貫通孔
８Ｂ  貫通孔  
９Ａ  貫通孔
９Ｂ  貫通孔
１０Ａ  貫通孔
１０Ｂ  貫通孔
１１Ａ  貫通孔
１１Ｂ  貫通孔
１２Ａ  貫通孔
１２Ｂ  貫通孔
１３Ａ  貫通孔
１３Ｂ  貫通孔
１４Ａ  貫通孔
１４Ｂ  貫通孔
１５    紐
１６Ａ  貫通孔
１６Ｂ  貫通孔
１７Ａ  貫通孔
１７Ｂ  貫通孔
【図１】
2016147054.tif 000003
【図２】
2016147054.tif 000004
【図３】
2016147054.tif 000005
【図４】
2016147054.tif 000006
【図５】
2016147054.tif 000007
【図６】
2016147054.tif 000008
【図７】
2016147054.tif 000009
【図８】
2016147054.tif 000010
【手続補正書】
【提出日】平成28年5月20日(2016.5.20)
【手続補正１】
【補正対象書類名】明細書
【補正対象項目名】００１６
【補正方法】変更
【補正の内容】
【００１６】
１    本体
２    蓋
２Ａ  蓋の表面
２Ｂ  蓋の裏面
２Ｃ  蓋の裏面
３    紐通し部
３Ａ  貫通孔
３Ｂ  貫通孔
４    紐通し部
４Ａ  貫通孔
４Ｂ  貫通孔
５    紐
６    留め具
７Ａ  貫通孔
７Ｂ  貫通孔    
８Ａ  貫通孔
８Ｂ  貫通孔  
９Ａ  貫通孔
９Ｂ  貫通孔
１０Ａ  貫通孔
１０Ｂ  貫通孔
１１Ａ  貫通孔
１１Ｂ  貫通孔
１２Ａ  貫通孔
１２Ｂ  貫通孔
１３Ａ  貫通孔
１３Ｂ  貫通孔
１４Ａ  貫通孔
１４Ｂ  貫通孔
１５    紐
１６  紐通し部
１６Ａ  貫通孔
１６Ｂ  貫通孔
１７  紐通し部
１７Ａ  貫通孔
１７Ｂ  貫通孔
【手続補正２】
【補正対象書類名】図面
【補正対象項目名】図４
【補正方法】変更
【補正の内容】
【図４】
2016147054.tif 000011